(57)【要約】  本発明は、閾値ペアの変更を管理するための方法、装置およびデバイスを開示する。上記方法は、無線リンク監視リファレンス信号同期の指示／非同期の指示監視閾値を決定するステップと、無線リンク監視リファレンス信号の同期の指示／非同期の指示監視閾値が変更されると、現在の無線リンク失敗タイマーの状態を併せて、同期の指示／非同期の指示閾値ペアの変更状況に従って、同期の指示カウンター、非同期の指示カウンターおよび無線リンク失敗関連タイマーを管理する。本発明を採用すれば、新しいチャネル品質要件でのチャネル品質がより正確に反映され、ＲＬＦ状態は現在のチャネル品質要件に従って、より正確に決定されることができるようになる。
2021513781.tif 000002
【特許請求の範囲】
【請求項１】
無線リンクモニター（Ｒａｄｉｏ Ｌｉｎｋ Ｍｏｎｉｔｏｒ，ＲＬＭ）リファレンス信号の同期の指示（ＩＳ）／非同期の指示（ＯＯＳ）監視閾値を決定するステップと、
ＲＬＭリファレンス信号のＩＳ／ＯＯＳ監視閾値が変更されたとき、現在の無線リンク失敗（Ｒａｄｉｏ Ｌｉｎｋ Ｆａｉｌｕｒｅ，ＲＬＦ）タイマーの状態を併せて、ＩＳ／ＯＯＳ閾値ペアの変更状況に従ってＩＳカウンター、ＯＯＳカウンター、およびＲＬＦ関連タイマーそれぞれを管理するステップと
を有することを特徴とする閾値ペアの変更を管理するための方法。
【請求項２】
ＩＳ／ＯＯＳ閾値ペアの変更状況は、閾値ペアが低閾値ペアから高閾値ペアに構成されるか、または閾値ペアが高閾値ペアから低閾値ペアに構成されることを指し、ここで、より厳しいチャネル品質要件基準を持つ閾値ペアは高閾値ペアであり、より低いチャネル品質要件基準を持つ閾値ペアは低閾値ペアであることを特徴とする請求項１に記載の閾値ペアの変更を管理するための方法。
【請求項３】
ＲＬＦタイマーが実行されていない場合、閾値ペアが低閾値ペアから高閾値ペアに構成されると、ＩＳカウンター、ＯＯＳカウンター、およびＲＬＦ関連タイマーは、次のいずれかのモードで管理される：
モード１：ＯＯＳカウンターを保持し、変更後の閾値ペア基準を使用してカウントし、または、
モード２：ＯＯＳカウンターをゼロにリセットし、変更後の閾値ペア基準を使用してカウントし、または、
モード３：ＯＯＳカウンターをクリアし、ＲＬＦタイマーを開始し、または、
モード４：ＯＯＳカウンターの現在の値の特定の比例値を丸めて、ＯＯＳカウンターの新しい値を取得し、ＯＯＳカウンターの新しい値が事前設定値より大きい場合、ＲＬＦタイマーを開始し、ＯＯＳカウンターをクリアし、それ以外の場合は、ＯＯＳカウンターの新しい値に基づいて、変更後の閾値ペア基準を使用してカウントし、前記特定の比例値は、１より大きい事前設定値であり、または、
モード５：ＯＯＳカウンターの現在の値に特定の値を追加して、ＯＯＳカウンターの新しい値を取得し、ＯＯＳカウンターの新しい値が事前設定値より大きい場合、ＲＬＦタイマーを開始し、それ以外の場合は、ＯＯＳカウンターの新しい値に基づいて、変更後の閾値ペア基準を使用してカウントし、前記特定の値は事前設定値であり、または、
モード６：ＯＯＳカウンターの現在の値が特定の閾値より大きい場合、ＲＬＦタイマーを開始し、ＯＯＳカウンターの現在の値が当該閾値より小さい場合、モード１、２、４、５のいずれかを使用してＯＯＳカウンターの新しい値を取得し、前記新しい値に基づいて、変更後の閾値ペア基準を使用してカウントし、前記特定の閾値は事前設定値であることを特徴とする請求項２に記載の閾値ペアの変更を管理するための方法。
【請求項４】
ＲＬＦタイマーが実行されていない場合、閾値ペアが高閾値ペアから低閾値ペアに構成されると、ＩＳカウンター、ＯＯＳカウンター、およびＲＬＦ関連タイマーは、次のいずれかのモードで管理される：
モード１：ＯＯＳカウンターをゼロにリセットし、変更後の閾値ペア基準を使用して再カウントし、または、
モード２：ＯＯＳカウンターを保持し、変更後の閾値ペア基準を使用してカウントし、または、
モード３：ＯＯＳカウンターの現在の値の特定の比例値を丸めて、ＯＯＳカウンターの新しい値を取得し、ＯＯＳカウンターの新しい値に基づいて、変更後の閾値ペア基準を使用してカウントし、前記特定の比例値は事前設定値０と１の間の値であり、または、
モード４：ＯＯＳカウンターの現在の値から特定の値を減らしてＯＯＳカウンターの新しい値を取得し、ＯＯＳカウンターの新しい値に基づいて、変更後の閾値ペア基準を使用してカウントし、前記特定の値は事前設定値であることを特徴とする請求項２に記載の閾値ペアの変更を管理するための方法。
【請求項５】
ＲＬＦタイマーの作動中、閾値ペアが低閾値ペアから高閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを短縮し、または、
モード３：ＩＳカウンターをゼロにリセットし、変更後の閾値ペア基準を使用して再カウントし、または、
モード４：ＩＳカウンターをゼロにリセットし、ＲＬＦタイマーをオフにし、または、
モード５：ＩＳカウンターをゼロにリセットし、ＲＬＦタイマーを再起動または延長し、または、
モード６：ＩＳカウンターの現在の値の特定の比例値を丸めて、ＩＳカウンターの新しい値を取得し、ＩＳカウンターの新しい値に基づいて、変更後の閾値ペア基準を使用してカウントし、前記特定の比例値は事前設定値０と１の間の値であり、または、
モード７：ＩＳカウンターの現在の値から特定の値を減らしてＩＳカウンターの新しい値を取得し、ＩＳカウンターの新しい値に基づいて、変更後の閾値ペア基準を使用してカウントし、前記特定の値は事前設定値であることを特徴とする請求項２に記載の閾値ペアの変更を管理するための方法。
【請求項６】
ＲＬＦタイマーの作動中、閾値ペアが高閾値ペアから低閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを再起動または延長し、または、
モード３：ＩＳカウンターをゼロにリセットし、ＲＬＦタイマーを再起動または延長し、または、
モード４：ＩＳカウンターをゼロにリセットし、ＲＬＦタイマーをオフにし、または、
モード５：ＩＳカウンターをゼロにリセットし、変更後の閾値ペア基準を使用して再カウントし、または、
モード６：ＩＳカウンターの現在の値の特定の比例値をＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の比例値は、１より大きい事前設定値であり、または、
モード７：ＩＳカウンターの現在の値に特定の値を追加して、ＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の値は事前設定値であり、または、
モード８：ＩＳカウンターの現在の値が特定の閾値より大きい場合、ＲＬＦタイマーをオフにし、リンクの復元を決定し、それ以外の場合は、ＩＳカウンターの現在の値が特定の閾値より小さい場合は、モード１、２、３、５、６、７のいずれかを使用してカウンターとタイマーを管理し、前記特定の閾値は事前設定値であることを特徴とする請求項２に記載の閾値ペアの変更を管理するための方法。
【請求項７】
前記ＲＬＦタイマーは、最下層によって連続的に報告された非同期の指示（ＯＯＳ）の数に基づいてオンにされ、最下層によって連続的に報告された同期の指示（ＩＳ）の数に基づいてオフにされ、前記タイマーがタイムアウトすると、リンクが失敗したと判断されることを特徴とする請求項１から６のいずれか一項に記載の閾値ペアの変更を管理するための方法。
【請求項８】
メモリ、プロセッサ、および前記メモリに格納され、前記プロセッサによって実行可能なコンピュータプログラムを備えるコンピュータデバイスであって、
前記プロセッサは、前記コンピュータプログラムを実行して、
ＲＬＭリファレンス信号のＩＳ／ＯＯＳ監視閾値を決定することと、
ＲＬＭリファレンス信号のＩＳ／ＯＯＳ監視閾値が変更されたとき、現在のＲＬＦタイマーの状態を併せて、ＩＳ／ＯＯＳ閾値ペアの変更状況に従ってＩＳカウンター、ＯＯＳカウンター、およびＲＬＦ関連タイマーそれぞれを管理することと
を実施するように構成されることを特徴とするコンピュータデバイス。
【請求項９】
ＩＳ／ＯＯＳ閾値ペアの変更状況は、閾値ペアが低閾値ペアから高閾値ペアに構成されるか、または閾値ペアが高閾値ペアから低閾値ペアに構成されることを指し、ここで、より厳しいチャネル品質要件基準を持つ閾値ペアは高閾値ペアであり、より低いチャネル品質要件基準を持つ閾値ペアは低閾値ペアであることを特徴とする請求項８に記載のコンピュータデバイス。
【請求項１０】
ＲＬＦタイマーが実行されていない場合、閾値ペアが低閾値ペアから高閾値ペアに構成されると、ＩＳカウンター、ＯＯＳカウンター、およびＲＬＦ関連タイマーは、次のいずれかのモードで管理される：
モード１：ＯＯＳカウンターを保持し、変更後の閾値ペア基準を使用してカウントし、または、
モード２：ＯＯＳカウンターをゼロにリセットし、変更後の閾値ペア基準を使用してカウントし、または、
モード３：ＯＯＳカウンターをクリアし、ＲＬＦタイマーを開始し、または、
モード４：ＯＯＳカウンターの現在の値の特定の比例値を丸めて、ＯＯＳカウンターの新しい値を取得し、ＯＯＳカウンターの新しい値が事前設定値より大きい場合、ＲＬＦタイマーを開始し、ＯＯＳカウンターをクリアし、それ以外の場合は、ＯＯＳカウンターの新しい値に基づいて、変更後の閾値ペア基準を使用してカウントし、前記特定の比例値は、１より大きい事前設定値であり、または、
モード５：ＯＯＳカウンターの現在の値に特定の値を追加して、ＯＯＳカウンターの新しい値を取得し、ＯＯＳカウンターの新しい値が事前設定値より大きい場合、ＲＬＦタイマーを開始し、それ以外の場合は、ＯＯＳカウンターの新しい値に基づいて、変更後の閾値ペア基準を使用してカウントし、前記特定の値は事前設定値であり、または、
モード６：ＯＯＳカウンターの現在の値が特定の閾値より大きい場合、ＲＬＦタイマーを開始し、ＯＯＳカウンターの現在の値が当該閾値より小さい場合、モード１、２、４、５のいずれかを使用してＯＯＳカウンターの新しい値を取得し、前記新しい値に基づいて、変更後の閾値ペア基準を使用してカウントし、前記特定の閾値は事前設定値であることを特徴とする請求項９に記載のコンピュータデバイス。
【請求項１１】
ＲＬＦタイマーが実行されていない場合、閾値ペアが高閾値ペアから低閾値ペアに構成されると、ＩＳカウンター、ＯＯＳカウンター、およびＲＬＦ関連タイマーは、次のいずれかのモードで管理される：
モード１：ＯＯＳカウンターをゼロにリセットし、変更後の閾値ペア基準を使用して再カウントし、または、
モード２：ＯＯＳカウンターを保持し、変更後の閾値ペア基準を使用してカウントし、または、
モード３：ＯＯＳカウンターの現在の値の特定の比例値を丸めて、ＯＯＳカウンターの新しい値を取得し、ＯＯＳカウンターの新しい値に基づいて、変更後の閾値ペア基準を使用してカウントし、前記特定の比例値は事前設定値０と１の間の値であり、または、
モード４：ＯＯＳカウンターの現在の値から特定の値を減らしてＯＯＳカウンターの新しい値を取得し、ＯＯＳカウンターの新しい値に基づいて、変更後の閾値ペア基準を使用してカウントし、前記特定の値は事前設定値であることを特徴とする請求項９に記載のコンピュータデバイス。
【請求項１２】
ＲＬＦタイマーの作動中、閾値ペアが低閾値ペアから高閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを短縮し、または、
モード３：ＩＳカウンターをゼロにリセットし、変更後の閾値ペア基準を使用して再カウントし、または、
モード４：ＩＳカウンターをゼロにリセットし、ＲＬＦタイマーをオフにし、または、
モード５：ＩＳカウンターをゼロにリセットし、ＲＬＦタイマーを再起動または延長し、または、
モード６：ＩＳカウンターの現在の値の特定の比例値を丸めて、ＩＳカウンターの新しい値を取得し、ＩＳカウンターの新しい値に基づいて、変更後の閾値ペア基準を使用してカウントし、前記特定の比例値は事前設定値０と１の間の値であり、または、
モード７：ＩＳカウンターの現在の値から特定の値を減らしてＩＳカウンターの新しい値を取得し、ＩＳカウンターの新しい値に基づいて、変更後の閾値ペア基準を使用してカウントし、前記特定の値は事前設定値であることを特徴とする請求項９に記載のコンピュータデバイス。
【請求項１３】
ＲＬＦタイマーの作動中、閾値ペアが高閾値ペアから低閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを再起動または延長し、または、
モード３：ＩＳカウンターをゼロにリセットし、ＲＬＦタイマーを再起動または延長し、または、
モード４：ＩＳカウンターをゼロにリセットし、ＲＬＦタイマーをオフにし、または、
モード５：ＩＳカウンターをゼロにリセットし、変更後の閾値ペア基準を使用して再カウントし、または、
モード６：ＩＳカウンターの現在の値の特定の比例値をＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の比例値は、１より大きい事前設定値であり、または、
モード７：ＩＳカウンターの現在の値に特定の値を追加して、ＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の値は事前設定値であり、または、
モード８：ＩＳカウンターの現在の値が特定の閾値より大きい場合、ＲＬＦタイマーをオフにし、リンクの復元を決定し、それ以外の場合は、ＩＳカウンターの現在の値が特定の閾値より小さい場合は、モード１、２、３、５、６、７のいずれかを使用してカウンターとタイマーを管理し、前記特定の閾値は事前設定値であることを特徴とする請求項９に記載のコンピュータデバイス。
【請求項１４】
前記ＲＬＦタイマーは、最下層によって連続的に報告された非同期の指示（ＯＯＳ）の数に基づいてオンにされ、最下層によって連続的に報告された同期の指示（ＩＳ）の数に基づいてオフにされ、前記タイマーがタイムアウトすると、リンクが失敗したと判断されることを特徴とする求項８から１３のいずれか一項に記載のコンピュータデバイス。
【請求項１５】
コンピュータに請求項１から７のいずれか一項に記載の閾値ペアの変更を管理するための方法を実行させるコンピュータプログラムを格納したコンピュータ可読記憶媒体。
【請求項１６】
ＲＬＭリファレンス信号のＩＳ／ＯＯＳ監視閾値を決定するように構成された決定モジュールと、
ＲＬＭリファレンス信号のＩＳ／ＯＯＳ監視閾値が変更されたとき、現在のＲＬＦタイマーの状態を併せて、ＩＳ／ＯＯＳ閾値ペアの変更状況に従ってＩＳカウンター、ＯＯＳカウンター、およびＲＬＦ関連タイマーそれぞれを管理するように構成された管理モジュールと
を備えることを特徴とする閾値ペアの変更を管理する装置。
【発明の詳細な説明】
【技術分野】
【０００１】
本発明は、２０１８年２月９日に中国特許局に提出した、出願番号が第２０１８１０１３６９４１．６号であり、発明の名称が「閾値ペアの変更を管理するための方法、装置およびデバイス」である中国特許出願を基礎とする優先権を主張し、その開示の総てをここに取り込む。
【０００２】
本発明は、通信技術分野に関し、特に閾値ペアの変更を管理するための方法、装置およびデバイスに関する。
【背景技術】
【０００３】
長期進化（Ｌｏｎｇ Ｔｅｒｍ Ｅｖｏｌｕｔｉｏｎ，ＬＴＥ）システムでは、同期と非同期の閾値のペアは１つしかなく、すなわち、同期閾値Ｑｉｎおよび非同期閾値Ｑｏｕｔがある。当該閾値ペアは、それぞれ［２％，１０％］のブロックエラー率（ＢＬｏｃｋ Ｅｒｒｏｒ Ｒａｔｉｏ，ＢＬＥＲ）に対応する。ユーザー機器（Ｕｓｅｒ Ｅｑｕｉｐｍｅｎｔ，ＵＥ）の物理層は、構成された無線リンクモニター（Ｒａｄｉｏ Ｌｉｎｋ Ｍｏｎｉｔｏｒ，ＲＬＭ）測定リファレンス信号を定期的に評価する。ＲＬＭリソースリファレンス信号の無線リンク品質が設定された非同期閾値Ｑｏｕｔよりも低い場合、物理層は無線リソース制御（Ｒａｄｉｏ Ｒｅｓｏｕｒｃｅ Ｃｏｎｔｒｏｌ，ＲＲＣ）に非同期の指示を示す。そして、ＲＬＭリソースリファレンス信号の無線リンク品質が、設定された同期閾値Ｑｉｎよりも高い場合、物理層は、同期の指示をＲＲＣに示す。
【０００４】
ＲＲＣが連続してＮ３１０個の非同期の指示を受信したとき、ＲＲＣ層は、無線リンク失敗検出を実行するためにタイマーＴ３１０をオンにする。Ｔ３１０のタイムアウト前に、ＲＲＣ層がＮ３１１個の同期指示を連続して受信した後、ＲＲＣ層はタイマーＴ３１０をオフにし、リンクは正常に回復したと見なされる。Ｔ３１０がタイムアウトする前に、ＲＲＣ層がＮ３１１個の同期指示を連続して受信していない場合、ＲＲＣ層はＴ３１０がタイムアウトしたときにリンク失敗を判別する。
【０００５】
新無線アクセス技術（ｎｅｗ ｒａｄｉｏ ａｃｃｅｓｓ Ｔｅｃｈｎｏｌｏｇｙ，ＮＲ）システムは、ＬＴＥシステムにおける同期指示および非同期指示を報告することによりリンク失敗を判別する方法を使用するが、ＬＴＥシステムとは異なり、ＮＲシステムは、同期／非同期（Ｉｎ−Ｓｙｎｃ／Ｏｕｔ−Ｏｆ−Ｓｙｎｃ，ＩＳ／ＯＯＳ）ＢＬＥＲ閾値ペア２つを有する。ＵＥのネットワーク側への最初のアクセス時に、デフォルトのＩＳ／ＯＯＳ閾値ペアを使用してリンク品質を検出でき、ネットワーク側はいつでもＵＥサービスタイプに従って、ＵＥのＩＳ／ＯＯＳ ＢＬＥＲ閾値ペアを再構成する。
【発明の概要】
【発明が解決しようとする課題】
【０００６】
従来技術には、以下の欠点がある。
【０００７】
ＮＲシステムでは、ネットワーク側は、ＵＥに対して異なるＩＳ／ＯＯＳ閾値ペアを構成することができる。ＩＳ／ＯＯＳ閾値ペアが変更されたときに、現在のＲＬＭカウンターとタイマーが新しいチャネル品質要件基準の下で信号品質を正しく反映できず、さらに、ＬＭ ＩＳ／ＯＯＳ閾値ペアが変更されたときの、ＵＥ側のＲＬＭ関連のカウンター（同期カウンター、非同期カウンター）および関連タイマーを管理する方法の問題を解決する解決策はまだ案出されていない。
【０００８】
本発明は、現在のＮＲシステムでは、ＲＬＭ監視閾値が変化すると、現在のＲＬＭカウンターおよびタイマーが新しいチャネル品質要件基準の下で信号品質を正しく反映できないという従来の問題を解決するために、閾値ペアの変更を管理するための方法、装置およびデバイスを提供する。
【課題を解決するための手段】
【０００９】
本発明の実施形態によって提供される閾値ペアの変更を管理するための方法は、
ＲＬＭリファレンス信号のＩＳ／ＯＯＳ監視閾値を決定し、
ＲＬＭリファレンス信号のＩＳ／ＯＯＳ監視閾値が変更されたとき、現在のＲＬＦ（Ｒａｄｉｏ Ｌｉｎｋ Ｆａｉｌｕｒｅ）タイマーの状態を併せて、ＩＳ／ＯＯＳ閾値ペアの変更状況に従ってＩＳカウンター、ＯＯＳカウンター、およびＲＬＦ関連タイマーそれぞれを管理する。
【００１０】
実施形態では、ＩＳ／ＯＯＳ閾値ペアの変更状況は、閾値ペアが低閾値ペアから高閾値ペアに構成されるか、または閾値ペアが高閾値ペアから低閾値ペアに構成されることを指し、ここで、より厳しいチャネル品質要件基準を持つ閾値ペアは高閾値ペアであり、より低いチャネル品質要件基準を持つ閾値ペアは低閾値ペアである。
【００１１】
実施形態では、ＲＬＦタイマーが実行されていない場合、閾値ペアが低閾値ペアから高閾値ペアに構成されると、ＩＳカウンター、ＯＯＳカウンター、およびＲＬＦ関連タイマーは、次のいずれかのモードで管理される：
モード１：ＯＯＳカウンターを保持し、変更後の閾値ペア基準を使用してカウントし、または、
モード２：ＯＯＳカウンターをゼロにリセットし、変更後の閾値ペア基準を使用してカウントし、または、
モード３：ＯＯＳカウンターをクリアし、ＲＬＦタイマーを開始し、または、
モード４：ＯＯＳカウンターの現在の値の特定の比例値を丸めて、ＯＯＳカウンターの新しい値を取得し、ＯＯＳカウンターの新しい値が事前設定値より大きい場合、ＲＬＦタイマーを開始し、ＯＯＳカウンターをクリアし、それ以外の場合は、ＯＯＳカウンターの新しい値に基づいて、変更後の閾値ペア基準を使用してカウントし、前記特定の比例値は、１より大きい事前設定値であり、または、
モード５：ＯＯＳカウンターの現在の値に特定の値を追加して、ＯＯＳカウンターの新しい値を取得し、ＯＯＳカウンターの新しい値が事前設定値より大きい場合、ＲＬＦタイマーを開始し、それ以外の場合は、ＯＯＳカウンターの新しい値に基づいて、変更後の閾値ペア基準を使用してカウントし、前記特定の値は事前設定値であり、または、
モード６：ＯＯＳカウンターの現在の値が特定の閾値より大きい場合、ＲＬＦタイマーを開始し、ＯＯＳカウンターの現在の値が当該閾値より小さい場合、モード１、２、４、５のいずれかを使用してＯＯＳカウンターの新しい値を取得し、前記新しい値に基づいて、変更後の閾値ペア基準を使用してカウントし、前記特定の閾値は事前設定値である。
【００１２】
実施形態では、ＲＬＦタイマーが実行されていない場合、閾値ペアが高閾値ペアから低閾値ペアに構成されると、ＩＳカウンター、ＯＯＳカウンター、およびＲＬＦ関連タイマーは、次のいずれかのモードで管理される：
モード１：ＯＯＳカウンターをゼロにリセットし、変更後の閾値ペア基準を使用して再カウントし、または、
モード２：ＯＯＳカウンターを保持し、変更後の閾値ペア基準を使用してカウントし、または、
モード３：ＯＯＳカウンターの現在の値の特定の比例値を丸めて、ＯＯＳカウンターの新しい値を取得し、ＯＯＳカウンターの新しい値に基づいて、変更後の閾値ペア基準を使用してカウントし、前記特定の比例値は事前設定値０と１の間の値であり、または、
モード４：ＯＯＳカウンターの現在の値から特定の値を減らしてＯＯＳカウンターの新しい値を取得し、ＯＯＳカウンターの新しい値に基づいて、変更後の閾値ペア基準を使用してカウントし、前記特定の値は事前設定値である。
【００１３】
実施形態では、ＲＬＦタイマーの作動中、閾値ペアが低閾値ペアから高閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを短縮し、または、
モード３：ＩＳカウンターをゼロにリセットし、変更後の閾値ペア基準を使用して再カウントし、または、
モード４：ＩＳカウンターをゼロにリセットし、ＲＬＦタイマーをオフにし、または、
モード５：ＩＳカウンターをゼロにリセットし、ＲＬＦタイマーを再起動または延長し、または、
モード６：ＩＳカウンターの現在の値の特定の比例値を丸めて、ＩＳカウンターの新しい値を取得し、ＩＳカウンターの新しい値に基づいて、変更後の閾値ペア基準を使用してカウントし、前記特定の比例値は事前設定値０と１の間の値であり、または、
モード７：ＩＳカウンターの現在の値から特定の値を減らしてＩＳカウンターの新しい値を取得し、ＩＳカウンターの新しい値に基づいて、変更後の閾値ペア基準を使用してカウントし、前記特定の値は事前設定値である。
【００１４】
実施形態では、ＲＬＦタイマーの作動中、閾値ペアが高閾値ペアから低閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを再起動または延長し、または、
モード３：ＩＳカウンターをゼロにリセットし、ＲＬＦタイマーを再起動または延長し、または、
モード４：ＩＳカウンターをゼロにリセットし、ＲＬＦタイマーをオフにし、または、
モード５：ＩＳカウンターをゼロにリセットし、変更後の閾値ペア基準を使用して再カウントし、または、
モード６：ＩＳカウンターの現在の値の特定の比例値をＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の比例値は、１より大きい事前設定値であり、または、
モード７：ＩＳカウンターの現在の値に特定の値を追加して、ＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の値は事前設定値であり、または、
モード８：ＩＳカウンターの現在の値が特定の閾値より大きい場合、ＲＬＦタイマーをオフにし、リンクの復元を決定し、それ以外の場合は、ＩＳカウンターの現在の値が特定の閾値より小さい場合は、モード１、２、３、５、６、７のいずれかを使用してカウンターとタイマーを管理し、前記特定の閾値は事前設定値である。
【００１５】
実施形態では、前記ＲＬＦタイマーは、最下層によって連続的に報告された非同期の指示（ＯＯＳ）の数に基づいてオンにされ、最下層によって連続的に報告された同期の指示（ＩＳ）の数に基づいてオフにされ、前記タイマーがタイムアウトすると、リンクが失敗したと判断される。
【００１６】
本発明の実施形態によって提供されるコンピュータデバイスは、メモリ、プロセッサ、およびメモリに格納され、プロセッサによって実行可能なコンピュータプログラムを備え、前記プロセッサは、以下を実施するために前記コンピュータプログラムを実行するように構成され、
ＲＬＭリファレンス信号のＩＳ／ＯＯＳ監視閾値を決定し、
ＲＬＭリファレンス信号のＩＳ／ＯＯＳ監視閾値が変更されたとき、現在のＲＬＦタイマーの状態を併せて、ＩＳ／ＯＯＳ閾値ペアの変更状況に従ってＩＳカウンター、ＯＯＳカウンター、およびＲＬＦ関連タイマーそれぞれを管理する。
【００１７】
実施形態では、ＩＳ／ＯＯＳ閾値ペアの変更状況は、閾値ペアが低閾値ペアから高閾値ペアに構成されるか、または閾値ペアが高閾値ペアから低閾値ペアに構成されることを指し、ここで、より厳しいチャネル品質要件基準を持つ閾値ペアは高閾値ペアであり、より低いチャネル品質要件基準を持つ閾値ペアは低閾値ペアである。
【００１８】
実施形態では、ＲＬＦタイマーが実行されていない場合、閾値ペアが低閾値ペアから高閾値ペアに構成されると、ＩＳカウンター、ＯＯＳカウンター、およびＲＬＦ関連タイマーは、次のいずれかのモードで管理される：
モード１：ＯＯＳカウンターを保持し、変更後の閾値ペア基準を使用してカウントし、または、
モード２：ＯＯＳカウンターをゼロにリセットし、変更後の閾値ペア基準を使用してカウントし、または、
モード３：ＯＯＳカウンターをクリアし、ＲＬＦタイマーを開始し、または、
モード４：ＯＯＳカウンターの現在の値の特定の比例値を丸めて、ＯＯＳカウンターの新しい値を取得し、ＯＯＳカウンターの新しい値が事前設定値より大きい場合、ＲＬＦタイマーを開始し、ＯＯＳカウンターをクリアし、それ以外の場合は、ＯＯＳカウンターの新しい値に基づいて、変更後の閾値ペア基準を使用してカウントし、前記特定の比例値は、１より大きい事前設定値であり、または、
モード５：ＯＯＳカウンターの現在の値に特定の値を追加して、ＯＯＳカウンターの新しい値を取得し、ＯＯＳカウンターの新しい値が事前設定値より大きい場合、ＲＬＦタイマーを開始し、それ以外の場合は、ＯＯＳカウンターの新しい値に基づいて、変更後の閾値ペア基準を使用してカウントし、前記特定の値は事前設定値であり、または、
モード６：ＯＯＳカウンターの現在の値が特定の閾値より大きい場合、ＲＬＦタイマーを開始し、ＯＯＳカウンターの現在の値が当該閾値より小さい場合、モード１、２、４、５のいずれかを使用してＯＯＳカウンターの新しい値を取得し、前記新しい値に基づいて、変更後の閾値ペア基準を使用してカウントし、前記特定の閾値は事前設定値である。
【００１９】
実施形態では、ＲＬＦタイマーが実行されていない場合、閾値ペアが高閾値ペアから低閾値ペアに構成されると、ＩＳカウンター、ＯＯＳカウンター、およびＲＬＦ関連タイマーは、次のいずれかのモードで管理される：
モード１：ＯＯＳカウンターをゼロにリセットし、変更後の閾値ペア基準を使用して再カウントし、または、
モード２：ＯＯＳカウンターを保持し、変更後の閾値ペア基準を使用してカウントし、または、
モード３：ＯＯＳカウンターの現在の値の特定の比例値を丸めて、ＯＯＳカウンターの新しい値を取得し、ＯＯＳカウンターの新しい値に基づいて、変更後の閾値ペア基準を使用してカウントし、前記特定の比例値は事前設定値０と１の間の値であり、または、
モード４：ＯＯＳカウンターの現在の値から特定の値を減らしてＯＯＳカウンターの新しい値を取得し、ＯＯＳカウンターの新しい値に基づいて、変更後の閾値ペア基準を使用してカウントし、前記特定の値は事前設定値である。
【００２０】
実施形態では、ＲＬＦタイマーの作動中、閾値ペアが低閾値ペアから高閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを短縮し、または、
モード３：ＩＳカウンターをゼロにリセットし、変更後の閾値ペア基準を使用して再カウントし、または、
モード４：ＩＳカウンターをゼロにリセットし、ＲＬＦタイマーをオフにし、または、
モード５：ＩＳカウンターをゼロにリセットし、ＲＬＦタイマーを再起動または延長し、または、
モード６：ＩＳカウンターの現在の値の特定の比例値を丸めて、ＩＳカウンターの新しい値を取得し、ＩＳカウンターの新しい値に基づいて、変更後の閾値ペア基準を使用してカウントし、前記特定の比例値は事前設定値０と１の間の値であり、または、
モード７：ＩＳカウンターの現在の値から特定の値を減らしてＩＳカウンターの新しい値を取得し、ＩＳカウンターの新しい値に基づいて、変更後の閾値ペア基準を使用してカウントし、前記特定の値は事前設定値である。
【００２１】
実施形態では、ＲＬＦタイマーの作動中、閾値ペアが高閾値ペアから低閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを再起動または延長し、または、
モード３：ＩＳカウンターをゼロにリセットし、ＲＬＦタイマーを再起動または延長し、または、
モード４：ＩＳカウンターをゼロにリセットし、ＲＬＦタイマーをオフにし、または、
モード５：ＩＳカウンターをゼロにリセットし、変更後の閾値ペア基準を使用して再カウントし、または、
モード６：ＩＳカウンターの現在の値の特定の比例値をＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の比例値は、１より大きい事前設定値であり、または、
モード７：ＩＳカウンターの現在の値に特定の値を追加して、ＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の値は事前設定値であり、または、
モード８：ＩＳカウンターの現在の値が特定の閾値より大きい場合、ＲＬＦタイマーをオフにし、リンクの復元を決定し、それ以外の場合は、ＩＳカウンターの現在の値が特定の閾値より小さい場合は、モード１、２、３、５、６、７のいずれかを使用してカウンターとタイマーを管理し、前記特定の閾値は事前設定値である。
【００２２】
実施形態では、前記ＲＬＦタイマーは、最下層によって連続的に報告された非同期の指示（ＯＯＳ）の数に基づいてオンにされ、最下層によって連続的に報告された同期の指示（ＩＳ）の数に基づいてオフにされ、前記タイマーがタイムアウトすると、リンクが失敗したと判断される。
【００２３】
本発明の実施形態によって提供されるコンピュータ可読記憶媒体は、閾値ペアの変更を管理するための方法を実行するためのコンピュータプログラムを記憶する。
【００２４】
本発明の実施形態によって提供される閾値ペアの変更を管理する装置は、
ＲＬＭリファレンス信号のＩＳ／ＯＯＳ監視閾値を決定するように構成された決定モジュールと、
ＲＬＭリファレンス信号のＩＳ／ＯＯＳ監視閾値が変更されたとき、現在のＲＬＦタイマーの状態を併せて、ＩＳ／ＯＯＳ閾値ペアの変更状況に従ってＩＳカウンター、ＯＯＳカウンター、およびＲＬＦ関連タイマーそれぞれを管理するように構成された管理モジュールとを備える。
【発明の効果】
【００２５】
本発明以下のような効果を発揮する。
【００２６】
本発明の実施形態によって提供される技術的解決策では、ＲＬＭリファレンス信号のＩＳ／ＯＯＳ監視閾値が変更されたとき、現在のＲＬＦタイマーの状態を併せて、ＩＳ／ＯＯＳ閾値変更に従って、ＩＳカウンター、ＯＯＳカウンター、およびＲＬＦ関連タイマーそれぞれを管理する。これは、ＲＬＭ監視閾値が変化すると、現在のＲＬＭカウンターおよびタイマーが新しいチャネル品質要件基準の下で信号品質を正しく反映できない状況を対象としている。タイマーとカウンターは、チャネル品質要件と現在のカウンターとタイマーの状態の変更に関連して再管理されるため、新しいチャネル品質要件でのチャネル品質がより正確に反映され、ＲＬＦ状態は現在のチャネル品質要件に従って、より正確に決定されることができるようになる。
【００２７】
本発明に係る実施例や従来の技術解決策をより明確に説明するために、以下に実施形態を説明するために必要な図面について簡単に紹介する。無論、以下の説明における図面は本発明に係る実施形態の一部であり、当業者は、創造的作業を行わないことを前提として、これらの図面に基づいて他の図面を得ることができる。
【図面の簡単な説明】
【００２８】
【図１】本発明の実施形態におけるＲＬＭ閾値基準の概略図である。
【図２】本発明の実施形態における閾値ペアの変更を管理するための方法の実施プロセスの概略図である。
【図３】本発明の実施形態における閾値ペアの変更を管理する装置の概略構造図である。
【図４】本発明の実施形態におけるコンピュータデバイスの概略構造図である。
【発明を実施するための形態】
【００２９】
発明者は、本発明を考案する間以下のことに気づいた。
【００３０】
ＮＲシステムは、ＬＴＥシステムの場合と同様に、同期の指示および非同期の指示を報告することによってリンク失敗を決定する方法を使用するが、ＬＴＥシステムとは異なり、ＮＲシステムは、２つのＩＳ／ＯＯＳ ＢＬＥＲ閾値ペアを有する。ＵＥのネットワーク側への最初のアクセス時に、デフォルトのＩＳ／ＯＯＳ閾値ペアを使用してリンク品質を検出でき、ネットワーク側はいつでもＵＥサービスタイプに従ってＵＥのＩＳ／ＯＯＳ ＢＬＥＲ閾値ペアを再構成することができる。したがって、次のような状況がある。現在のタイマーおよび／またはカウンターは基準１に従って計算を実行し、上位層はＩＳ／ＯＯＳ閾値を基準２に再構成する。基準２の場合、現在のカウンター値とタイマー実行状態は、新しい基準の要件を完全かつ正確に反映することができず、ＲＬＭタイマーとカウンターの管理方法はまだ解決されていない。
【００３１】
以下の説明は、例として、ＩＳ／ＯＯＳ ＢＬＥＲ基準１ ［２％，１０％］および基準２ ［１％，５％］をそれぞれ使用する。上記の基準は、本出願の説明では例として使用されているが、特定の基準は、プロトコルの結果に基づいて、実施中に変更されてもよい。
【００３２】
図１は、ＲＬＭ閾値基準の概略図である。図１に示すように、上記の２組のＩＳ／ＯＯＳ基準に基づいて、基準信号品質を５つのレベルに分割できる。１％未満のＢＬＥＲはレベル１であり、１％を超えるか２％未満のＢＬＥＲはレベル２であり、このように類推して、信号品質が１０％を超えるＢＬＥＲはレベル５である。示されているＩＳ／ＯＯＳ閾値は、説明の便宜のための概略値にすぎず、当該閾値に限定されない。
【００３３】
ＵＥがＲＬＭ検出のための基準１を使用するように構成されている場合、ＲＬＭ監視リファレンス信号品質がレベル１およびレベル２であるとき、最下層は、同期の指示をＲＲＣに報告することができる。ＲＬＭリファレンス信号品質がレベル５であるとき、最下層は非同期の指示をＲＲＣ層に報告し、リファレンス信号の品質がレベル３およびレベル４の場合、最下層は、ＲＲＣ層に同期の指示も非同期の指示も報告する必要はない。
【００３４】
ＵＥがＲＬＭ検出のために基準２を使用するように構成されている場合、ＲＬＭ監視リファレンス信号品質がレベル１であるとき、最下層はＲＲＣ層に同期の指示を報告し、ＲＬＭリファレンス信号品質はレベル４およびレベル５であり、最下層は非同期の指示をＲＲＣ層に報告し、リファレンス信号品質がレベル２およびレベル３の場合、最下層は同期の指示も非同期の指示もＲＲＣ層に報告する必要はない。
【００３５】
ＵＥがＩＳ／ＯＯＳ基準１から基準２に再構成されるとき、現在の同期の指示は、基準２の要件を満たさないレベル２のリファレンス信号を含み得ることが分かる。現在の同期カウンターは、基準として基準２を使用して、同じ条件下でのカウント値より大きくなることがある。レベル４のリファレンス信号は、非同期の指示で失われる可能性があり、現在の非同期カウンターは、基準として基準２を用いた同じ条件下でのカウント値よりも低い可能性がある。逆に、ＵＥがＩＳ／ＯＯＳ基準２から基準１に再構成されている場合、現在の同期の指示にはレベル２のリファレンス信号がなく、現在の同期カウンターは、基準として基準１を使用した同じ条件でのカウント値よりも低い可能性がある。非同期の指示には、基準１の要件を満たさないレベル４のリファレンス信号が含まれている可能性があり、現在の非同期カウンターは、基準として基準１を使用して、同じ条件下でのカウント値より大きくなることがある。
【００３６】
Ｔ３１０タイマーの場合、基準としてのＮ３１０個の非同期の指示の連続受信は、タイマーをオンにして作動させ、Ｎ３１１個の同期の指示の連続受信を基準として、タイマーをオフにする。そのため、カウンターが現在の信号品質を正確に反映できない場合、Ｔ３１０タイマーのオンとオフもある程度影響を受ける。
【００３７】
ＮＲシステムでは、ネットワークは、ＵＥのサービスタイプに従って、ＲＬＭ測定リファレンス信号のＩＳ／ＯＯＳ測定閾値ペアを構成できることが分かる。ＬＴＥシステムでは、デフォルトのＩＳ／ＯＯＳ ＢＬＥＲ閾値は１つだけであり、ネットワーク側でＵＥのＲＬＭ監視閾値を構成する必要はない。ＵＥは、ＩＳ／ＯＯＳ ＢＬＥＲ閾値のみに基づいてリンク品質を評価する。ＮＲシステムでは、さまざまなサービスタイプの信号品質要件を満たすために、さまざまなＲＬＭ監視閾値ペア、つまりＩＳ／ＯＯＳ ＢＬＥＲペアをサービスタイプに応じて構成できる。当該閾値ペアはＲＲＣシグナリングを介して構成できるが、監視閾値が変化した場合、現在実行中のＩＳ／ＯＯＳカウンターとタイマーへの影響に対する解決策はない。現在構成されているタイマーとカウンターを管理して、新しく構成されたチャネル品質要件を正しく反映する方法を解決する必要がある。
【００３８】
これに基づいて、本発明の実施形態は、閾値ペアの変更を管理する解決策を提供する。本発明の特定の実施は、添付の図面と併せて以下に説明される。
【００３９】
図２は閾値ペアの変更を管理するための方法の実施プロセスの概略図である。図に示すように、この方法には以下のステップが含まれる。
【００４０】
ステップ２０１：ＲＬＭリファレンス信号のＩＳ／ＯＯＳ監視閾値を決定する。
【００４１】
ステップ２０２：ＲＬＭリファレンス信号のＩＳ／ＯＯＳ監視閾値が変更されたとき、現在のＲＬＦタイマーの状態を併せて、ＩＳ／ＯＯＳ閾値ペアの変更状況に従ってＩＳカウンター、ＯＯＳカウンター、およびＲＬＦ関連タイマーそれぞれを管理する。
【００４２】
いくつかの実施形態では、無線リンク失敗（Ｒａｄｉｏ Ｌｉｎｋ Ｆａｉｌｕｒｅ，ＲＬＦ）タイマーは、無線リンク状態を監視するタイマーである。当該タイマーは、最下層によって連続的に報告された非同期の指示の数に基づいて開始され、最下層によって連続的に報告された同期中の指示の数に基づいてオフになり、タイマーがタイムアウトすると、リンクが失敗したと判断される場合がある。タイマーのいくつかの実施形態では、説明のための例として、Ｔ３１０タイマーが使用される。ただし、プロトコル、基準、および実際のニーズの変化に応じて、他のタイマーも使用できることを理解されたい。
【００４３】
実施形態では、ＩＳ／ＯＯＳ閾値ペアの変更状況は、閾値ペアが低閾値ペアから高閾値ペアに構成されるか、または閾値ペアが高閾値ペアから低閾値ペアに構成されることを指し、ここで、より厳しいチャネル品質要件基準を持つ閾値ペアは高閾値ペアであり、より低いチャネル品質要件基準を持つ閾値ペアは低閾値ペアである。
【００４４】
具体的には、上記の分析によれば、ＩＳ／ＯＯＳ閾値が変更すると、現在のＩＳ／ＯＯＳカウンターは、新しい閾値基準の下でチャネル品質をもはや正確に反映できなくなり、新しい閾値基準は、新しいチャネル品質要件である。例として［２％，１０％］と［１％，５％］のＩＳ／ＯＯＳ ＢＬＥＲ閾値ペアを使用すると、より厳しいチャネル品質要件基準を持つ閾値ペアは高閾値ペアと呼ばれる。つまり、［１％，５％］は高閾値ペアである。より低いチャネル品質要件基準を持つ閾値ペアは低閾値ペアである。つまり、［２％，１０％］は低閾値ペアである。閾値が低閾値から高閾値に変更すると、現在のカウントされたＩＳカウンターには高閾値ＩＳ基準を満たさないリファレンス信号が含まれる可能性があり、ＯＯＳカウンターには高閾値ＯＯＳ基準を満たすリファレンス信号がない。つまり、同じ監視時間と同じ監視条件下で、ＩＳカウンターは高閾値を基準としたカウント以上であり、ＯＯＳカウンターは高閾値を基準としたカウントである。逆に、閾値が高閾値から低閾値に変更されると、同じ監視時間と同じ監視条件下で、ＩＳカウンターは低閾値を基準としたカウント以下であり、ＯＯＳカウンターは低閾値を基準としたカウント以上である。閾値が変更すると、Ｔ３１０タイマーがオンになっているかどうかに応じて、ＵＥはカウンターとタイマーに対して異なる操作を実行する。
【００４５】
Ｉ．Ｔ３１０タイマーが作動していないときの処理
Ｔ３１０タイマーが実行されていない場合、そのときの連続するＩＳ指示の数はＴ３１０タイマーの開始に影響を与えることができず、すなわち、それはＲＬＦ状態を引き起こさないので、ＵＥは連続のＯＯＳ指示をカウントだけでよい。閾値が低閾値から高閾値に構成されている場合、現在のＯＯＳカウンターには、高閾値のＯＯＳ基準を満たすリファレンス信号がないが、現在のＯＯＳ状態をある程度反映できる。閾値が高閾値から低閾値に構成されている場合、現在のＯＯＳタイマーには、低閾値のＯＯＳ基準を満たさないリファレンス信号が含まれている。したがって、ＵＥは以下の動作を実行することができる。
【００４６】
１．Ｔ３１０タイマーが実行されていない場合、閾値ペアが低閾値ペアから高閾値ペアに構成されると、ＩＳカウンター、ＯＯＳカウンター、およびＲＬＦ関連タイマーは、次のいずれかのモードで管理される：
モード１：ＯＯＳカウンターを保持し、変更後の閾値ペア基準を使用してカウントし、
モード２：ＯＯＳカウンターをゼロにリセットし、変更後の閾値ペア基準を使用してカウントし、
モード３：ＯＯＳカウンターをクリアし、Ｔ３１０タイマーをオンにし、
モード４：ＯＯＳカウンターの現在の値の特定の比例値を丸めて、ＯＯＳカウンターの新しい値を取得し、ＯＯＳカウンターの新しい値が事前設定値より大きい場合、Ｔ３１０タイマーをオンにし、ＯＯＳカウンターをクリアし、それ以外の場合は、ＯＯＳカウンターの新しい値に基づいて、変更後の閾値ペア基準を使用してカウントし、前記特定の比例値は、１より大きい事前設定値である。具体的には、当該比例値は１より大きい特定の値であり、ネットワーク側で構成するか、プロトコルで指定できる。ここで、事前設定値は、具体的にＮ３１０などであり得る。
モード５：ＯＯＳカウンターの現在の値に特定の値を追加して、ＯＯＳカウンターの新しい値を取得し、ＯＯＳカウンターの新しい値が事前設定値より大きい場合、Ｔ３１０タイマーをオンにし、それ以外の場合は、ＯＯＳカウンターの新しい値に基づいて、変更後の閾値ペア基準を使用してカウントし、前記特定の値は事前設定値であり、具体的には、当該追加された特定の値は、ネットワーク側で構成された値やプロトコルで指定された値であり、または、ネットワーク側で構成された一定の原理やプロトコルで規定された原理に従って算出された値である。ここで、事前設定値は、具体的にＮ３１０などであり得る。
モード６：ＯＯＳカウンターの現在の値が特定の閾値より大きい場合、Ｔ３１０タイマーをオンにし、ＯＯＳカウンターの現在の値が当該閾値より小さい場合、モード１、２、４、５のいずれかを使用してＯＯＳカウンターの新しい値を取得し、前記新しい値に基づいて、変更後の閾値ペア基準を使用してカウントし、前記特定の閾値は事前設定値である。具体的には、当該閾値は、ネットワーク側で直接構成するか、プロトコルで指定することができ、ここで、追加された特定の値また特定の比例はネットワーク側で構成するか、プロトコルで指定することができる。
【００４７】
２．Ｔ３１０タイマーが実行されていない場合、閾値ペアが高閾値ペアから低閾値ペアに構成されると、ＩＳカウンター、ＯＯＳカウンター、およびＲＬＦ関連タイマーは、次のいずれかのモードで管理される：
モード１：ＯＯＳカウンターをゼロにリセットし、変更後の閾値ペア基準を使用して再カウントし、
モード２：ＯＯＳカウンＶターを保持し、変更後の閾値ペア基準を使用してカウントし、
すなわち、連続的に受信されたＯＯＳの数が事前設定値に達した場合、タイマーは、ＩＳ指示を通じてオフにされ得、そして現在の信号が本当に悪い場合、リンクが失敗したと決定され得る。ここで、事前設定値は、具体的にＮ３１０などであり得る。
モード３：ＯＯＳカウンターの現在の値の特定の比例値を丸めて、ＯＯＳカウンターの新しい値を取得し、ＯＯＳカウンターの新しい値に基づいて、変更後の閾値ペア基準を使用してカウントし、前記特定の比例値は事前設定値０と１の間の値であり、具体的には、当該比例値は０と１の間の特定の値であり、ネットワーク側で構成するか、プロトコルで指定できる。
モード４：ＯＯＳカウンターの現在の値から特定の値を減らしてＯＯＳカウンターの新しい値を取得し、ＯＯＳカウンターの新しい値に基づいて、変更後の閾値ペア基準を使用してカウントし、前記特定の値は事前設定値である。具体的には、当該減らされ特定の値は、ネットワーク側で構成された値やプロトコルで指定された値であり、または、ネットワーク側で構成された一定の原理やプロトコルで規定された原理に従って算出された値である。
【００４８】
ＩＩ．Ｔ３１０タイマーの実行中の処理
Ｔ３１０タイマーが作動しているとき、その時のＯＯＳ指示はＩＳカウンターによるカウントにのみ影響し、連続するＯＯＳ指示の数はタイマーおよびリンク状態に影響を与えることができないので、ＵＥは連続するＩＳ指示をカウントする必要があるだけである。ただし、連続するＩＳ指示の数はＴ３１０の状態に影響を与えるため、ＲＬＦの決定に影響する。閾値が低閾値から高閾値に設定されている場合、現在のＩＳカウンターには高閾値を満たさないリファレンス信号が含まれる。閾値が高閾値から低閾値に設定されている場合、現在のＩＳカウンターには低閾値ＩＳ基準を満たすリファレンス信号がないが、現在のＩＳ状態をある程度反映できるため、ＵＥは以下の操作を実行できる。
【００４９】
１．Ｔ３１０タイマーが実行中であり、閾値ペアが低閾値ペアから高閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、
モード２：ＩＳカウンターを保持し、変更後の閾値ペア基準を使用してカウントし、Ｔ３１０タイマーを短縮し、
モード３：ＩＳカウンターをゼロにリセットし、変更後の閾値ペア基準を使用して再カウントし、
モード４：ＩＳカウンターをゼロにリセットし、Ｔ３１０タイマーをオフにする。
モード５：ＩＳカウンターをゼロにリセットし、Ｔ３１０タイマーを再起動または延長する。
モード６：ＩＳカウンターの現在の値の特定の比例値を丸めて、ＩＳカウンターの新しい値を取得し、ＩＳカウンターの新しい値に基づいて、変更後の閾値ペア基準を使用してカウントし、前記特定の比例値は事前設定値０と１の間の値であり、具体的には、当該比例値は０−１である特定の値であり、ネットワーク側で構成するか、プロトコルで指定できる。
モード７：ＩＳカウンターの現在の値から特定の値を減らしてＩＳカウンターの新しい値を取得し、ＩＳカウンターの新しい値に基づいて、変更後の閾値ペア基準を使用してカウントし、前記特定の値は事前設定値である。具体的には、当該減らされ特定の値は、ネットワーク側で構成された値やプロトコルで指定された値であり、または、ネットワーク側で構成された一定の原理やプロトコルで規定された原理に従って算出された値である。
【００５０】
２．Ｔ３１０タイマーが実行されており、閾値ペアが高閾値ペアから低閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、
モード２：ＩＳカウンターを保持し、変更後の閾値ペア基準を使用してカウントし、Ｔ３１０タイマーを再起動または延長する。
モード３：ＩＳカウンターをゼロにリセットし、Ｔ３１０タイマーを再起動または延長する。
モード４：ＩＳカウンターをゼロにリセットし、Ｔ３１０タイマーをオフにする。
モード５：ＩＳカウンターをゼロにリセットし、変更後の閾値ペア基準を使用して再カウントし、
モード６：ＩＳカウンターの現在の値の特定の比例値をＩＳカウンターの新しい値とし、ＩＳカウンターの新しい値が事前設定値より大きい場合、Ｔ３１０タイマーをオフにする。それ以外の場合は、ＩＳカウンターの新しい値に基づいて、変更後の閾値ペア基準を使用してカウントし、前記特定の比例値は、１より大きい事前設定値であり、具体的には、当該比例値は１より大きい特定の値であり、ネットワーク側で構成するか、プロトコルで指定できる。ここで、事前設定値は、Ｎ３１１などであり得る。
モード７：ＩＳカウンターの現在の値に特定の値を追加して、ＩＳカウンターの新しい値とし、ＩＳカウンターの新しい値が事前設定値より大きい場合、Ｔ３１０タイマーをオフにする。それ以外の場合は、ＩＳカウンターの新しい値に基づいて、変更後の閾値ペア基準を使用してカウントし、前記特定の値は事前設定値であり、具体的には、当該追加された特定の値は、ネットワーク側で構成された値やプロトコルで指定された値であり、または、ネットワーク側で構成された一定の原理やプロトコルで規定された原理に従って算出された値である。ここで、事前設定値は、Ｎ３１１などであり得る。
モード８：ＩＳカウンターの現在の値が特定の閾値より大きい場合、Ｔ３１０タイマーをオフにし、リンクの復元を決定し、それ以外の場合は、ＩＳカウンターの現在の値が特定の閾値より小さい場合は、モード１、２、３、５、６、７のいずれかを使用してカウンターとタイマーを管理し、前記特定の閾値は事前設定値である。具体的には、当該閾値ネットワーク側で構成するか、プロトコルで指定できる。
【００５１】
上記のモードは、任意の組み合わせで使用することができる。つまり、異なる状態で任意に組み合わせることができる。たとえば、使用方法では、閾値が変更される限り、すべてのカウンターがリセットされ、タイマーが実行中の場合、タイマーはオフになる。つまり、Ｔ３１０が実行されていない場合に、閾値が高閾値ペアから低閾値ペアに変更されるとモード１が採用され、閾値が低閾値ペアから高閾値ペアに変更されると、モード２が採用される。Ｔ３１０が実行中の場合、閾値が高閾値ペアから低閾値ペアに変更するとモード４が採用され、閾値が低閾値ペアから高閾値ペアに変更すると、モード４を採用する。
【００５２】
さらに、タイマーの名前、カウンターの名前、およびカウンターの数は、Ｔ３１０、Ｎ３１０、Ｎ３１３に限定されず、同等のＲＬＭ関連タイマーがすべて適用可能であり、同等の数の同期および非同期カウンターはすべて適用可能である。
【００５３】
ＲＬＦタイマーが短縮または延長されるとき、タイマーは、一定の原理に従って比例して短縮または延長され得るか、またはタイマーは、固定された特定の値によって短縮または延長される。特定の実施では、単純なモードは、タイマーを２秒ずつ固定的に増加または減少させることである。複合モードでは、特定のアルゴリズムをプロトコルで指定できる。たとえば、現在のカウンター値とＮ３１０／Ｎ３１１の比率に基づいて、タイマーは同じ比率で増減される。
【００５４】
上述のＩＳ／ＯＯＳ監視閾値基準は、２つの閾値ペアに限定されず、複数の閾値ペアに向けられてもよく、上記で提供された［１％，５％］、［２％，１０％］基準に限定されない。また、監視リファレンス信号のＢＬＥＲに限定されず、チャネル品質を決定するために使用できる他の信号品質評価基準がすべて適用可能である。
【００５５】
以下、実施形態と併せて説明する。
【００５６】
実施形態１：
実施形態では、高閾値から低閾値への構成の実施について説明する。
【００５７】
実施形態１−１：
実施形態では、Ｔ３１０は動作していない。
１）ＵＥは、より高い閾値基準であるＩＳ／ＯＯＳ閾値１の下で現在のチャネル品質を監視し、ここで、ＯＯＳカウンターのカウントされた数は、Ｎ３１０よりも低い。
２）ネットワーク側は、ＵＥを再構成し、ここで、再構成メッセージは、新しいＩＳ／ＯＯＳ閾値ペア指示情報を含み、当該指示情報に対応する閾値２は、ＵＥのために現在構成されている閾値１よりも低い、すなわち、閾値２のチャネル品質要件は、閾値１よりも低くなっている。
３）ＵＥは、ネットワーク側によって送信された新しいＩＳ／ＯＯＳ閾値ペア指示情報を含むシグナリングメッセージを受信し、信号品質を監視するための現在の閾値基準を閾値２に変更する。
４）ＯＯＳカウンターの現在の値がＮ３１０未満である場合、ＵＥは以下のような動作を実行する：
４−１）ＯＯＳカウンターをゼロにリセットし、新しい基準を使用して再カウントを実行し、または、
４−２）ＯＯＳカウンターを保持し、新しい基準を使用してカウントを続け、または、
４−３）ＯＯＳカウンターの現在の値の特定の比例値を丸めて、ＯＯＳカウンターの新しい値を取得し、ＯＯＳカウンターの新しい値に基づいて、新しい基準を使用してカウントを実行し、当該比例値は０と１の間の特定の値であり、ネットワーク側で構成するか、プロトコルで指定でき、または、
４−４）ＯＯＳカウンターの現在の値から特定の値を減らしてＯＯＳカウンターの新しい値を取得し、ＯＯＳカウンターの新しい値に基づいて、新しい基準を使用してカウントを実行する。当該減らされ特定の値は、ネットワーク側で構成された値やプロトコルで指定された値であり、または、ネットワーク側で構成された一定の原理やプロトコルで規定された原理に従って算出された値である。
【００５８】
実施形態１−２：
実施形態では、Ｔ３１０が稼働している。
１）ＵＥは、より高い閾値基準であるＩＳ／ＯＯＳ閾値１の下で現在のチャネル品質を監視し、ここで、ＩＳカウンターのカウントされた数は、Ｎ３１１よりも低い。
２）ネットワーク側は、ＵＥを再構成し、ここで、再構成メッセージは、新しいＩＳ／ＯＯＳ閾値ペア指示情報を含み、当該指示情報に対応する閾値２は、ＵＥのために現在構成されている閾値１よりも低い、すなわち、閾値２のチャネル品質要件は、閾値１よりも低くなっている。
３）ＵＥは、ネットワーク側によって送信された新しいＩＳ／ＯＯＳ閾値ペア指示情報を含むシグナリングメッセージを受信し、信号品質を監視するための現在の閾値基準を閾値２に変更する。
４）現在のＩＳカウンターの数がＮ３１１未満である場合、ＵＥは以下のような動作を実行する：
４−１）ＩＳカウンターを保持し、新しい基準を使用してカウントを続け、または、
４−２）ＩＳカウンターを保持し、新しい基準を使用してカウントを続行し、Ｔ３１０タイマーを再起動または延長し、または、
４−３）ＩＳカウンターをゼロにリセットし、Ｔ３１０タイマーを再起動または延長し、または、
４−４）ＩＳカウンターをゼロにリセットし、Ｔ３１０タイマーをオフにし、または、
４−５）ＩＳカウンターをゼロにリセットし、新しい基準を使用して再カウントを実行し、または、
４−６）ＩＳカウンターの現在の値の特定の比例値をＩＳカウンターの新しい値として使用し、次に：
ＩＳカウンターの新しい値がＮ３１１より大きい場合、Ｔ３１０タイマーをオフにし、
それ以外の場合は、ＩＳカウンターの新しい値に基づいて、新しい基準を使用してカウントを実行し、
当該比例値は１より大きい特定の値であり、ネットワーク側で構成するか、プロトコルで指定でき、または、
４−７）現在のＩＳカウンターの現在の値に特定の値を追加して、ＩＳカウンターの新しい値を取得す、
ＩＳカウンターの新しい値がＮ３１１より大きい場合、Ｔ３１０タイマーをオフにし、
それ以外の場合は、ＩＳカウンターの新しい値に基づいて、新しい基準を使用してカウントを実行し、
当該追加された特定の値は、ネットワーク側で構成された値やプロトコルで指定された値であり、または、ネットワーク側で構成された一定の原理やプロトコルで規定された原理に従って算出された値であり、または、
４−８）ＩＳカウンターの現在の値が特定の閾値より大きい場合、Ｔ３１０タイマーをオフにし、リンクの復元を決定し、それ以外の場合は、すなわち、ＩＳカウンターの現在の値が特定の閾値より小さい場合は、モード４−１、４−２、４−３、４−５、４−６および４−７のいずれかを使用してカウンターとタイマーを管理する。当該閾値ネットワーク側で構成するか、プロトコルで指定できる。
【００５９】
実施形態２：
実施形態では、低閾値から高閾値への構成の実施について説明する。
【００６０】
実施形態２−１：
実施形態では、Ｔ３１０は実行されていない。
１）ＵＥは、より低い閾値基準であるＩＳ／ＯＯＳ閾値２の下で現在のチャネル品質を監視し、ここで、ＯＯＳカウンターのカウントされた数は、Ｎ３１０よりも低い。
２）ネットワーク側は、ＵＥを再構成し、ここで、再構成メッセージは、新しいＩＳ／ＯＯＳ閾値ペア指示情報を含み、当該指示情報に対応する閾値１は、ＵＥのために現在構成されている閾値２よりも高い、閾値１の場合のチャネル品質要件は、閾値２よりも高い。
３）ＵＥは、ネットワーク側によって送信された新しいＩＳ／ＯＯＳ閾値ペア指示情報を含むシグナリングメッセージを受信し、信号品質を監視するための現在の閾値基準を閾値１に変更する。
４）ＯＯＳカウンターの現在の値がＮ３１０未満である場合、ＵＥは以下のような動作を実行する：
４−１）ＯＯＳカウンターを保持し、新しい基準を使用してカウントを続け、または、
４−２）ＯＯＳカウンターをゼロにリセットし、新しい基準を使用して再カウントを実行し、または、
４−３）ＯＯＳカウンターをクリアし、Ｔ３１０タイマーをオンし、または、
４−４）ＯＯＳカウンターの現在の値の特定の比例値を丸めて、ＯＯＳカウンターの新しい値を取得し、
ＯＯＳカウンターの新しい値がＮ３１０より大きい場合、Ｔ３１０タイマーをオンにし、ＯＯＳカウンターをクリアし、
それ以外の場合は、ＯＯＳカウンターの新しい値に基づいて、新しい基準を使用してカウントを実行し、
当該比例値は１より大きい特定の値であり、ネットワーク側で構成するか、プロトコルで指定でき、または、
４−５）ＯＯＳカウンターの現在の値に特定の値を追加して、ＯＯＳカウンターの新しい値を取得し、
ＯＯＳカウンターの新しい値がＮ３１０より大きい場合、Ｔ３１０タイマーをオンにし、
それ以外の場合は、ＯＯＳカウンターの新しい値に基づいて、新しい基準を使用してカウントを実行し、
当該追加された特定の値は、ネットワーク側で構成された値やプロトコルで指定された値であり、または、ネットワーク側で構成された一定の原理やプロトコルで規定された原理に従って算出された値であり、または、
４−６）ＯＯＳカウンターの現在の値が特定の閾値より大きい場合、Ｔ３１０タイマーをオンにし、ＯＯＳカウンターの現在の値が当該閾値より小さい場合、モード４−１、４−２、４−４、および４−５のいずれかを使用して、ＯＯＳカウンターの新しい値を取得し、新しい基準を使用してカウントを実行する。
当該閾値は、ネットワーク側で直接構成するか、プロトコルで指定することができ、ここで、追加された特定の値また特定の比例はネットワーク側で構成するか、プロトコルで指定することができ。
【００６１】
実施形態２−２：
実施形態では、Ｔ３１０が実行されている。
１）ＵＥは、より低い閾値基準であるＩＳ／ＯＯＳ閾値２の下で現在のチャネル品質を監視し、ここで、ＩＳカウンターのカウントされた数は、Ｎ３１１よりも低い。
２）ネットワーク側は、ＵＥを再構成し、ここで、再構成メッセージは、新しいＩＳ／ＯＯＳ閾値ペア指示情報を含み、当該指示情報に対応する閾値１は、ＵＥのために現在構成されている閾値２よりも高い、閾値１の場合のチャネル品質要件は、閾値２よりも高い。
３）ＵＥは、ネットワーク側によって送信された新しいＩＳ／ＯＯＳ閾値ペア指示情報を含むシグナリングメッセージを受信し、信号品質を監視するための現在の閾値基準を閾値１に変更する。
４）現在のＩＳカウンターの数がＮ３１１未満である場合、ＵＥは以下のような動作を実行する：
４−１）ＩＳカウンターを保持し、新しい基準を使用してカウントを続け、または、
４−２）ＩＳカウンターを保持し、新しい基準を使用してカウントを続行し、Ｔ３１０タイマーを短縮し、または、
４−３）ＩＳカウンターをゼロにリセットし、新しい基準を使用して再カウントを実行し、または、
４−４）ＩＳカウンターをゼロにリセットし、Ｔ３１０タイマーをオフにし、または、
４−５）ＩＳカウンターをゼロにリセットし、Ｔ３１０タイマーを再起動または延長し、または、
４−６）ＩＳカウンターの現在の値特定の比例値を丸めて、ＩＳカウンターの新しい値を取得し、ＩＳカウンターの新しい値に基づいて、新しい基準を使用してカウントを実行し、当該比例値は０−１である特定の値であり、ネットワーク側で構成するか、プロトコルで指定でき、または、
４−７）ＩＳカウンターの現在の値から特定の値を減らしてＩＳカウンターの新しい値を取得し、ＩＳカウンターの新しい値に基づいて、新しい基準を使用してカウントを実行する。当該減らされ特定の値は、ネットワーク側で構成された値やプロトコルで指定された値であり、または、ネットワーク側で構成された一定の原理やプロトコルで規定された原理に従って算出された値である。
【００６２】
同じ発明思想に基づいて、本発明の実施形態は、コンピュータデバイス、コンピュータ可読記憶媒体、および閾値ペアの変更を管理するための装置をさらに提供する。これらのデバイスの問題解決原理は、閾値ペアの変更を管理するための方法と同様であるため、これらのデバイスの実施については、方法の実施を参照することができ、繰り返しの説明は省略される。
【００６３】
図３は、閾値ペアが変更するときの管理のための装置の概略構造図である。図に示されるように、装置は
ＲＬＭリファレンス信号のＩＳ／ＯＯＳ監視閾値を決定するように構成された決定モジュール３０１と、
ＲＬＭリファレンス信号のＩＳ／ＯＯＳ監視閾値が変更されたとき、現在のＲＬＦタイマーの状態を併せて、ＩＳ／ＯＯＳ閾値ペアの変更状況に従ってＩＳカウンター、ＯＯＳカウンター、およびＲＬＦ関連タイマーそれぞれを管理するように構成された管理モジュール３０２とを備える。
【００６４】
説明の便宜上、上述の装置の各部分は、機能に従って様々なモジュールまたはユニットに分割され、それぞれ説明される。もちろん、本発明の実施では、それぞれのモジュールまたはユニットの機能は、１つまたは複数のソフトウェアまたはハードウェアで実施することができる。
【００６５】
本発明の実施形態によって提供される技術的解決策の実施において、それは以下のように実施され得る。
【００６６】
図４を参照すると、本発明の実施形態によって提供されるコンピュータデバイスは、プロセッサ４０１、メモリ４０２、およびメモリ４０２に格納され、プロセッサによって実行可能なコンピュータプログラムを含み、前記コンピュータを実行すると、プログラムの場合、プロセッサ４０１は以下の方法を実施する：
ＲＬＭリファレンス信号のＩＳ／ＯＯＳ監視閾値を決定し、
ＲＬＭリファレンス信号のＩＳ／ＯＯＳ監視閾値が変更されたとき、現在のＲＬＦタイマーの状態を併せて、ＩＳ／ＯＯＳ閾値ペアの変更状況に従ってＩＳカウンター、ＯＯＳカウンター、およびＲＬＦ関連タイマーそれぞれを管理する。
【００６７】
実施形態では、ＩＳ／ＯＯＳ閾値ペアの変更状況は、閾値ペアが低閾値ペアから高閾値ペアに構成されるか、または閾値ペアが高閾値ペアから低閾値ペアに構成されることを指し、ここで、より厳しいチャネル品質要件基準を持つ閾値ペアは高閾値ペアであり、より低いチャネル品質要件基準を持つ閾値ペアは低閾値ペアである。
【００６８】
実施形態では、ＲＬＦタイマーが実行されていない場合、閾値ペアが低閾値ペアから高閾値ペアに構成されると、ＩＳカウンター、ＯＯＳカウンター、およびＲＬＦ関連タイマーは、次のいずれかのモードで管理される：
モード１：ＯＯＳカウンターを保持し、変更後の閾値ペア基準を使用してカウントし、または、
モード２：ＯＯＳカウンターをゼロにリセットし、変更後の閾値ペア基準を使用してカウントし、または、
モード３：ＯＯＳカウンターをクリアし、ＲＬＦタイマーを開始し、または、
モード４：ＯＯＳカウンターの現在の値の特定の比例値を丸めて、ＯＯＳカウンターの新しい値を取得し、ＯＯＳカウンターの新しい値が事前設定値より大きい場合、ＲＬＦタイマーを開始し、ＯＯＳカウンターをクリアし、それ以外の場合は、ＯＯＳカウンターの新しい値に基づいて、変更後の閾値ペア基準を使用してカウントし、前記特定の比例値は、１より大きい事前設定値であり、または、
モード５：ＯＯＳカウンターの現在の値に特定の値を追加して、ＯＯＳカウンターの新しい値を取得し、ＯＯＳカウンターの新しい値が事前設定値より大きい場合、ＲＬＦタイマーを開始し、それ以外の場合は、ＯＯＳカウンターの新しい値に基づいて、変更後の閾値ペア基準を使用してカウントし、前記特定の値は事前設定値であり、または、
モード６：ＯＯＳカウンターの現在の値が特定の閾値より大きい場合、ＲＬＦタイマーを開始し、ＯＯＳカウンターの現在の値が当該閾値より小さい場合、モード１、２、４、５のいずれかを使用してＯＯＳカウンターの新しい値を取得し、前記新しい値に基づいて、変更後の閾値ペア基準を使用してカウントし、前記特定の閾値は事前設定値である。
【００６９】
実施形態では、ＲＬＦタイマーが実行されていない場合、閾値ペアが高閾値ペアから低閾値ペアに構成されると、ＩＳカウンター、ＯＯＳカウンター、およびＲＬＦ関連タイマーは、次のいずれかのモードで管理される：
モード１：ＯＯＳカウンターをゼロにリセットし、変更後の閾値ペア基準を使用して再カウントし、または、
モード２：ＯＯＳカウンターを保持し、変更後の閾値ペア基準を使用してカウントし、または、
モード３：ＯＯＳカウンターの現在の値の特定の比例値を丸めて、ＯＯＳカウンターの新しい値を取得し、ＯＯＳカウンターの新しい値に基づいて、変更後の閾値ペア基準を使用してカウントし、前記特定の比例値は事前設定値０と１の間の値であり、または、
モード４：ＯＯＳカウンターの現在の値から特定の値を減らしてＯＯＳカウンターの新しい値を取得し、ＯＯＳカウンターの新しい値に基づいて、変更後の閾値ペア基準を使用してカウントし、前記特定の値は事前設定値である。
【００７０】
実施形態では、ＲＬＦタイマーの作動中、閾値ペアが低閾値ペアから高閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを短縮し、または、
モード３：ＩＳカウンターをゼロにリセットし、変更後の閾値ペア基準を使用して再カウントし、または、
モード４：ＩＳカウンターをゼロにリセットし、ＲＬＦタイマーをオフにし、または、
モード５：ＩＳカウンターをゼロにリセットし、ＲＬＦタイマーを再起動または延長し、または、
モード６：ＩＳカウンターの現在の値の特定の比例値を丸めて、ＩＳカウンターの新しい値を取得し、ＩＳカウンターの新しい値に基づいて、変更後の閾値ペア基準を使用してカウントし、前記特定の比例値は事前設定値０と１の間の値であり、または、
モード７：ＩＳカウンターの現在の値から特定の値を減らしてＩＳカウンターの新しい値を取得し、ＩＳカウンターの新しい値に基づいて、変更後の閾値ペア基準を使用してカウントし、前記特定の値は事前設定値である。
【００７１】
実施形態では、ＲＬＦタイマーの作動中、閾値ペアが高閾値ペアから低閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを再起動または延長し、または、
モード３：ＩＳカウンターをゼロにリセットし、ＲＬＦタイマーを再起動または延長し、または、
モード４：ＩＳカウンターをゼロにリセットし、ＲＬＦタイマーをオフにし、または、
モード５：ＩＳカウンターをゼロにリセットし、変更後の閾値ペア基準を使用して再カウントし、または、
モード６：ＩＳカウンターの現在の値の特定の比例値をＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の比例値は、１より大きい事前設定値であり、または、
モード７：ＩＳカウンターの現在の値に特定の値を追加して、ＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の値は事前設定値であり、または、
モード８：ＩＳカウンターの現在の値が特定の閾値より大きい場合、ＲＬＦタイマーをオフにし、リンクの復元を決定し、それ以外の場合は、ＩＳカウンターの現在の値が特定の閾値より小さい場合は、モード１、２、３、５、６、７のいずれかを使用してカウンターとタイマーを管理し、前記特定の閾値は事前設定値である。
【００７２】
実施形態では、前記ＲＬＦタイマーは、最下層によって連続的に報告された非同期の指示（ＯＯＳ）の数に基づいてオンにされ、最下層によって連続的に報告された同期の指示（ＩＳ）の数に基づいてオフにされ、前記タイマーがタイムアウトすると、リンクが失敗したと判断される。
【００７３】
本発明の実施形態によって提供されるコンピュータ可読記憶媒体は、閾値ペアの変更を管理するための方法を実行するためのコンピュータプログラムを記憶する。特定の実施については、上記のコンピュータデバイスの実施を参照することができる。
【００７４】
要約すると、本発明の実施形態によって提供される技術的解決策では、ＲＬＭリファレンス信号のＩＳ／ＯＯＳ監視閾値が変更されたとき、現在のＲＬＦタイマーの状態を併せて、ＩＳ／ＯＯＳ閾値変更に従って、ＩＳカウンター、ＯＯＳカウンター、およびＲＬＦ関連タイマーそれぞれを管理する。
【００７５】
この解決策は、ＲＬＭ監視閾値が変更すると、現在のＲＬＭカウンターおよびタイマーが新しいチャネル品質基準の下で信号品質を正しく反映できないという問題を解決する。チャネル品質要件と現在のカウンターとタイマーの状態の変更に関連して、タイマーとカウンターは、新しいチャネル品質要件の下でチャネル品質をより正確に反映するように再管理されるため、ＲＬＦ状態は現在のチャネル品質要件に従って、より正確に決定されることができるようになる。
【００７６】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、１つまたは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【００７７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における１つまたは複数のフローおよび／またはブロック図における１つまたは複数のブロックに指定する機能を実現する。
【００７８】
これらのコンピュータプログラム指令は、又、コンピュータまたは他のプログラム可能なデータ処理装置を特定モードで動作させるコンピュータ読取記憶装置に記憶できる。これによって、指令を含む装置は当該コンピュータ読取記憶装置内の指令を実行でき、フロー図における１つまたは複数のフローおよび／またはブロック図における１つまたは複数のブロックに指定する機能を実現する。
【００７９】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における１つまたは複数のフローおよび／またはブロック図における１つまたは複数のブロックに指定する機能を実現する。
【００８０】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【００８１】
３０１  決定モジュール
３０２  管理モジュール
４０１  プロセッサ
４０２  メモリ
【図１】
2021513781.tif 000003
【図２】
2021513781.tif 000004
【図３】
2021513781.tif 000005
【図４】
2021513781.tif 000006
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
無線リンクモニター（Ｒａｄｉｏ Ｌｉｎｋ Ｍｏｎｉｔｏｒ，ＲＬＭ）リファレンス信号の同期の指示（ＩＳ）／非同期の指示（ＯＯＳ）監視閾値を決定するステップと、
ＲＬＭリファレンス信号のＩＳ／ＯＯＳ監視閾値が変更されたとき、現在の無線リンク失敗（Ｒａｄｉｏ Ｌｉｎｋ Ｆａｉｌｕｒｅ，ＲＬＦ）タイマーの状態を併せて、ＩＳ／ＯＯＳ閾値ペアの変更状況に従ってＩＳカウンター、ＯＯＳカウンター、およびＲＬＦ関連タイマーそれぞれを管理するステップと
を有することを特徴とする閾値ペアの変更を管理するための方法。
【請求項２】
ＩＳ／ＯＯＳ閾値ペアの変更状況は、閾値ペアが低閾値ペアから高閾値ペアに構成されるか、または閾値ペアが高閾値ペアから低閾値ペアに構成されることを指し、ここで、より厳しいチャネル品質要件基準を持つ閾値ペアは高閾値ペアであり、より低いチャネル品質要件基準を持つ閾値ペアは低閾値ペアであることを特徴とする請求項１に記載の閾値ペアの変更を管理するための方法。
【請求項３】
ＲＬＦタイマーが実行されていない場合、閾値ペアが低閾値ペアから高閾値ペアに構成されると、ＩＳカウンター、ＯＯＳカウンター、およびＲＬＦ関連タイマーは、次のいずれかのモードで管理される：
モード１：ＯＯＳカウンターを保持し、変更後の閾値ペア基準を使用してカウントし、または、
モード２：ＯＯＳカウンターをゼロにリセットし、変更後の閾値ペア基準を使用してカウントし、または、
モード３：ＯＯＳカウンターをクリアし、ＲＬＦタイマーを開始し、または、
モード４：ＯＯＳカウンターの現在の値の特定の比例値を丸めて、ＯＯＳカウンターの新しい値を取得し、ＯＯＳカウンターの新しい値が事前設定値より大きい場合、ＲＬＦタイマーを開始し、ＯＯＳカウンターをクリアし、それ以外の場合は、ＯＯＳカウンターの新しい値に基づいて、変更後の閾値ペア基準を使用してカウントし、前記特定の比例値は、１より大きい事前設定値であり、または、
モード５：ＯＯＳカウンターの現在の値に特定の値を追加して、ＯＯＳカウンターの新しい値を取得し、ＯＯＳカウンターの新しい値が事前設定値より大きい場合、ＲＬＦタイマーを開始し、それ以外の場合は、ＯＯＳカウンターの新しい値に基づいて、変更後の閾値ペア基準を使用してカウントし、前記特定の値は事前設定値であり、または、
モード６：ＯＯＳカウンターの現在の値が特定の閾値より大きい場合、ＲＬＦタイマーを開始し、ＯＯＳカウンターの現在の値が当該閾値より小さい場合、モード１、２、４、５のいずれかを使用してＯＯＳカウンターの新しい値を取得し、前記新しい値に基づいて、変更後の閾値ペア基準を使用してカウントし、前記特定の閾値は事前設定値であることを特徴とする請求項２に記載の閾値ペアの変更を管理するための方法。
【請求項４】
ＲＬＦタイマーが実行されていない場合、閾値ペアが高閾値ペアから低閾値ペアに構成されると、ＩＳカウンター、ＯＯＳカウンター、およびＲＬＦ関連タイマーは、次のいずれかのモードで管理される：
モード１：ＯＯＳカウンターをゼロにリセットし、変更後の閾値ペア基準を使用して再カウントし、または、
モード２：ＯＯＳカウンターを保持し、変更後の閾値ペア基準を使用してカウントし、または、
モード３：ＯＯＳカウンターの現在の値の特定の比例値を丸めて、ＯＯＳカウンターの新しい値を取得し、ＯＯＳカウンターの新しい値に基づいて、変更後の閾値ペア基準を使用してカウントし、前記特定の比例値は事前設定値０と１の間の値であり、または、
モード４：ＯＯＳカウンターの現在の値から特定の値を減らしてＯＯＳカウンターの新しい値を取得し、ＯＯＳカウンターの新しい値に基づいて、変更後の閾値ペア基準を使用してカウントし、前記特定の値は事前設定値であることを特徴とする請求項２に記載の閾値ペアの変更を管理するための方法。
【請求項５】
ＲＬＦタイマーの作動中、閾値ペアが低閾値ペアから高閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを短縮し、または、
モード３：ＩＳカウンターをゼロにリセットし、変更後の閾値ペア基準を使用して再カウントし、または、
モード４：ＩＳカウンターをゼロにリセットし、ＲＬＦタイマーをオフにし、または、
モード５：ＩＳカウンターをゼロにリセットし、ＲＬＦタイマーを再起動または延長し、または、
モード６：ＩＳカウンターの現在の値の特定の比例値を丸めて、ＩＳカウンターの新しい値を取得し、ＩＳカウンターの新しい値に基づいて、変更後の閾値ペア基準を使用してカウントし、前記特定の比例値は事前設定値０と１の間の値であり、または、
モード７：ＩＳカウンターの現在の値から特定の値を減らしてＩＳカウンターの新しい値を取得し、ＩＳカウンターの新しい値に基づいて、変更後の閾値ペア基準を使用してカウントし、前記特定の値は事前設定値であることを特徴とする請求項２に記載の閾値ペアの変更を管理するための方法。
【請求項６】
ＲＬＦタイマーの作動中、閾値ペアが高閾値ペアから低閾値ペアに構成されると、ＩＳカウンター、ＯＯＳカウンター、およびＲＬＦ関連タイマーは、次のいずれかのモードで管理される：
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを再起動または延長し、または、
モード３：ＩＳカウンターをゼロにリセットし、ＲＬＦタイマーを再起動または延長し、または、
モード４：ＩＳカウンターをゼロにリセットし、ＲＬＦタイマーをオフにし、または、
モード５：ＩＳカウンターをゼロにリセットし、変更後の閾値ペア基準を使用して再カウントし、または、
モード６：ＩＳカウンターの現在の値の特定の比例値をＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の比例値は、１より大きい事前設定値であり、または、
モード７：ＩＳカウンターの現在の値に特定の値を追加して、ＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の値は事前設定値であり、または、
モード８：ＩＳカウンターの現在の値が特定の閾値より大きい場合、ＲＬＦタイマーをオフにし、リンクの復元を決定し、それ以外の場合は、ＩＳカウンターの現在の値が特定の閾値より小さい場合は、モード１、２、３、５、６、７のいずれかを使用してカウンターとタイマーを管理し、前記特定の閾値は事前設定値であることを特徴とする請求項２に記載の閾値ペアの変更を管理するための方法。
【請求項７】
前記ＲＬＦタイマーは、最下層によって連続的に報告された非同期の指示（ＯＯＳ）の数に基づいてオンにされ、最下層によって連続的に報告された同期の指示（ＩＳ）の数に基づいてオフにされ、前記タイマーがタイムアウトすると、リンクが失敗したと判断されることを特徴とする請求項１から６のいずれか一項に記載の閾値ペアの変更を管理するための方法。
【請求項８】
ＲＬＭリファレンス信号のＩＳ／ＯＯＳ監視閾値を決定するように構成された決定モジュールと、
ＲＬＭリファレンス信号のＩＳ／ＯＯＳ監視閾値が変更されたとき、現在のＲＬＦタイマーの状態を併せて、ＩＳ／ＯＯＳ閾値ペアの変更状況に従ってＩＳカウンター、ＯＯＳカウンター、およびＲＬＦ関連タイマーそれぞれを管理するように構成された管理モジュールと
を備えることを特徴とする閾値ペアの変更を管理する装置。
【請求項９】
ＩＳ／ＯＯＳ閾値ペアの変更状況は、閾値ペアが低閾値ペアから高閾値ペアに構成されるか、または閾値ペアが高閾値ペアから低閾値ペアに構成されることを指し、ここで、より厳しいチャネル品質要件基準を持つ閾値ペアは高閾値ペアであり、より低いチャネル品質要件基準を持つ閾値ペアは低閾値ペアであることを特徴とする請求項８に記載の閾値ペアの変更を管理する装置。
【請求項１０】
前記管理モジュールは、
ＲＬＦタイマーが実行されていない場合、閾値ペアが低閾値ペアから高閾値ペアに構成されると、次のいずれかのモードでＩＳカウンター、ＯＯＳカウンター、およびＲＬＦ関連タイマーを管理し、
モード１：ＯＯＳカウンターを保持し、変更後の閾値ペア基準を使用してカウントし、または、
モード２：ＯＯＳカウンターをゼロにリセットし、変更後の閾値ペア基準を使用してカウントし、または、
モード３：ＯＯＳカウンターをクリアし、ＲＬＦタイマーを開始し、または、
モード４：ＯＯＳカウンターの現在の値の特定の比例値を丸めて、ＯＯＳカウンターの新しい値を取得し、ＯＯＳカウンターの新しい値が事前設定値より大きい場合、ＲＬＦタイマーを開始し、ＯＯＳカウンターをクリアし、それ以外の場合は、ＯＯＳカウンターの新しい値に基づいて、変更後の閾値ペア基準を使用してカウントし、前記特定の比例値は、１より大きい事前設定値であり、または、
モード５：ＯＯＳカウンターの現在の値に特定の値を追加して、ＯＯＳカウンターの新しい値を取得し、ＯＯＳカウンターの新しい値が事前設定値より大きい場合、ＲＬＦタイマーを開始し、それ以外の場合は、ＯＯＳカウンターの新しい値に基づいて、変更後の閾値ペア基準を使用してカウントし、前記特定の値は事前設定値であり、または、
モード６：ＯＯＳカウンターの現在の値が特定の閾値より大きい場合、ＲＬＦタイマーを開始し、ＯＯＳカウンターの現在の値が当該閾値より小さい場合、モード１、２、４、５のいずれかを使用してＯＯＳカウンターの新しい値を取得し、前記新しい値に基づいて、変更後の閾値ペア基準を使用してカウントし、前記特定の閾値は事前設定値であることを特徴とする請求項９に記載の閾値ペアの変更を管理する装置。
【請求項１１】
前記管理モジュールは、
ＲＬＦタイマーが実行されていない場合、閾値ペアが高閾値ペアから低閾値ペアに構成されると、次のいずれかのモードでＩＳカウンター、ＯＯＳカウンター、およびＲＬＦ関連タイマーを管理し、
モード１：ＯＯＳカウンターをゼロにリセットし、変更後の閾値ペア基準を使用して再カウントし、または、
モード２：ＯＯＳカウンターを保持し、変更後の閾値ペア基準を使用してカウントし、または、
モード３：ＯＯＳカウンターの現在の値の特定の比例値を丸めて、ＯＯＳカウンターの新しい値を取得し、ＯＯＳカウンターの新しい値に基づいて、変更後の閾値ペア基準を使用してカウントし、前記特定の比例値は事前設定値０と１の間の値であり、または、
モード４：ＯＯＳカウンターの現在の値から特定の値を減らしてＯＯＳカウンターの新しい値を取得し、ＯＯＳカウンターの新しい値に基づいて、変更後の閾値ペア基準を使用してカウントし、前記特定の値は事前設定値であることを特徴とする請求項９に記載の閾値ペアの変更を管理する装置。
【請求項１２】
前記管理モジュールは、
ＲＬＦタイマーの作動中、閾値ペアが低閾値ペアから高閾値ペアに構成されると、次のいずれかのモードでＩＳカウンター、ＯＯＳカウンター、およびＲＬＦ関連タイマーを管理し、
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを短縮し、または、
モード３：ＩＳカウンターをゼロにリセットし、変更後の閾値ペア基準を使用して再カウントし、または、
モード４：ＩＳカウンターをゼロにリセットし、ＲＬＦタイマーをオフにし、または、
モード５：ＩＳカウンターをゼロにリセットし、ＲＬＦタイマーを再起動または延長し、または、
モード６：ＩＳカウンターの現在の値の特定の比例値を丸めて、ＩＳカウンターの新しい値を取得し、ＩＳカウンターの新しい値に基づいて、変更後の閾値ペア基準を使用してカウントし、前記特定の比例値は事前設定値０と１の間の値であり、または、
モード７：ＩＳカウンターの現在の値から特定の値を減らしてＩＳカウンターの新しい値を取得し、ＩＳカウンターの新しい値に基づいて、変更後の閾値ペア基準を使用してカウントし、前記特定の値は事前設定値であることを特徴とする請求項９に記載の閾値ペアの変更を管理する装置。
【請求項１３】
前記管理モジュールは、
ＲＬＦタイマーの作動中、閾値ペアが高閾値ペアから低閾値ペアに構成されると、次のいずれかのモードでＩＳカウンター、ＯＯＳカウンター、およびＲＬＦ関連タイマーを管理し、
モード１：ＩＳカウンターを保持し、変更後の閾値ペア基準を使用してカウントし、または、
モード２：ＩＳカウンターを保持し、変更後の閾値ペア基準を使用してカウントし、ＲＬＦタイマーを再起動または延長し、または、
モード３：ＩＳカウンターをゼロにリセットし、ＲＬＦタイマーを再起動または延長し、または、
モード４：ＩＳカウンターをゼロにリセットし、ＲＬＦタイマーをオフにし、または、
モード５：ＩＳカウンターをゼロにリセットし、変更後の閾値ペア基準を使用して再カウントし、または、
モード６：ＩＳカウンターの現在の値の特定の比例値をＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の比例値は、１より大きい事前設定値であり、または、
モード７：ＩＳカウンターの現在の値に特定の値を追加して、ＩＳカウンターの新しい値とし、ＩＳカウンターの新しい値が事前設定値より大きい場合、ＲＬＦタイマーをオフにし、それ以外の場合は、ＩＳカウンターの新しい値に基づいて、変更後の閾値ペア基準を使用してカウントし、前記特定の値は事前設定値であり、または、
モード８：ＩＳカウンターの現在の値が特定の閾値より大きい場合、ＲＬＦタイマーをオフにし、リンクの復元を決定し、それ以外の場合は、ＩＳカウンターの現在の値が特定の閾値より小さい場合は、モード１、２、３、５、６、７のいずれかを使用してカウンターとタイマーを管理し、前記特定の閾値は事前設定値であることを特徴とする請求項９に記載の閾値ペアの変更を管理する装置。
【請求項１４】
前記ＲＬＦタイマーは、最下層によって連続的に報告された非同期の指示（ＯＯＳ）の数に基づいてオンにされ、最下層によって連続的に報告された同期の指示（ＩＳ）の数に基づいてオフにされ、前記タイマーがタイムアウトすると、リンクが失敗したと判断されることを特徴とする請求項８から１３のいずれか一項に記載の閾値ペアの変更を管理する装置。
【国際調査報告】
2021513781.tif 000007
2021513781.tif 000008
2021513781.tif 000009
2021513781.tif 000010